(57)【要約】【課題】外形の大きな光ディスクドライブユニットを取り付けるように設計された筐体に外形の小さな光ディスクドライブユニットを取り付け、開発にかかる手間、時間を省略し、需要が少ない光ディスク装置の製造数と、需要の多い光ディスク装置の製造数の比率を容易に変更でき、無駄を省くことができる。【解決手段】シャーシ１と、背面パネル２と、上面カバー３と、ＤＶＤレコーダユニット４と、レコーダ用前面パネル５とを有する光ディスク装置Ａの製造方法において、ＤＶＤレコーダユニット４にかえてＤＶＤプレーヤユニット７を取り付けるときに、スペーサ８を、ＤＶＤプレーヤユニット７の下面に取り付けるとともにシャーシ１に固定し、プレーヤ用前面パネル９をレコーダ用前面パネル５にかえて取り付ける。【選択図】図５
2007299443.tif 000002
【特許請求の範囲】
【請求項１】
ＤＶＤメディアの再生又は記録を行うＤＶＤレコーダユニットと、
前記ＤＶＤレコーダユニットの下面に形成されたボスが挿通されるボス孔が形成され前記ＤＶＤレコーダユニットが固定されるシャーシと、
前記シャーシの上部を覆う上面カバーと、
前記シャーシの背面に立設配置される背面パネルと、
前記光ディスクが挿入又は排出される開口部と、背面上部に一体突設され前記ＤＶＤレコーダユニットの上面に形成された凸部と係合するための係合リブと、前記背面及び前記係合リブと一体に形成され該係合リブの上面に直交し、前記上面カバーを支持する支持リブとを備え、前記シャーシの前面に着脱可能に取り付けられるレコーダ用前面パネルとを有する光ディスク装置の製造方法において、
前記ＤＶＤレコーダユニットにかえて前記ＤＶＤレコーダユニットよりも薄く形成され、前記ＤＶＤメディアの再生のみを行うＤＶＤプレーヤユニットを取り付けるときに、
中央に上面から下面に貫通する貫通孔と、上面に前記ＤＶＤプレーヤユニットの下面に形成されているボスと係合するボス孔と、前記シャーシに形成されているボス孔と係合するボスとを有するスペーサを、前記ＤＶＤプレーヤユニットの下面に取り付け、
前記スペーサを取り付けたＤＶＤプレーヤユニットを前記シャーシに固定し、
前記レコーダ用前面パネルの前記係合リブよりも下方に形成された係合リブと、上端部が前記レコーダ用前面パネルの前記支持リブの上端部と同じ高さになるように形成された支持リブとを有するプレーヤ用前面パネルを前記レコーダ用前面パネルにかえて取り付けることを特徴とする光ディスク装置の製造方法。
【請求項２】
光ディスクの再生又は記録を行う第１光ディスクユニットと、
前記第１光ディスクユニットが固定されるシャーシと、
前記シャーシの上部を覆う上面カバーと、
前記シャーシの背面に立設配置される背面パネルと、
前記光ディスクが挿入又は排出される開口部と、背面上部に一体突設され前記第１光ディスクユニットの上面に形成された凸部と係合するための係合リブと、前記背面及び前記係合リブと一体に形成され該係合リブの上面に直交し、前記上面カバーを支持する支持リブとを備え、前記シャーシの前面に着脱可能に取り付けられる第１前面パネルとを有する光ディスク装置の製造方法において、
前記第１光ディスクユニットにかえて該第１光ディスクユニットよりも薄く形成された第２光ディスクユニットを取り付けるときに、
前記第２光ディスクユニットの下面にスペーサを取り付け、
スペーサを取り付けた前記第２光ディスクユニットを前記シャーシに固定し、
前記第１前面パネルにかえて前記第２光ディスクユニットの上面に形成された凸部と係合する係合リブ及び前記上面カバーを支持する支持リブとを備えた第２前面パネルを取り付けることを特徴とする光ディスク装置の製造方法。
【請求項３】
前記スペーサは中央に上面から下面に貫通する貫通孔と、前記上面に前記第２光ディスクユニットに形成されるボスと係合するボス孔と、前記下面に前記シャーシに形成されているボス孔と係合するボスとが形成されていることを特徴とする請求項２に記載の光ディスク装置の製造方法。
【請求項４】
前記第２前面パネルの係合リブは前記第１前面パネルの係合リブよりも下方に配置されており、前記第２前面パネルの支持リブの上端部は前記第１前面パネルの支持リブの上端部と同じ高さになるように形成されていることを特徴とする請求項２又は請求項３に記載の光ディスク装置の製造方法。
【発明の詳細な説明】
【技術分野】
【０００１】
本発明は、例えば、ＤＶＤプレーヤユニットとＤＶＤレコーダユニットのように形状の異なる機器を同一のシャーシ、上面カバー、背面パネルを共用することができる光ディスク装置の製造方法に関する。
【背景技術】
【０００２】
光ディスク装置として映像、音声等の情報を記録する記録媒体としてＤＶＤ（Ｄｉｇｉｔａｌ  Ｖｅｒｓａｔｉｌｅ  Ｄｉｓｃ）を利用するものが増えている。記録媒体としてＤＶＤを用いる光ディスク装置として、ＤＶＤに情報を記録することができるＤＶＤレコーダと、予め記録されている情報の再生のみを行うＤＶＤプレーヤとを挙げることができる。
【０００３】
前記のような光ディスク装置は、ＤＶＤレコーダユニット（前記ＤＶＤレコーダ）又はＤＶＤプレーヤユニット（前記ＤＶＤプレーヤ）をシャーシ、上面カバー、前面パネル等の筐体内に配置して形成されている。
【０００４】
前記ＤＶＤレコーダユニットで光ディスク（ＤＶＤ−Ｒ、ＤＶＤ−ＲＷ等の記録可能な光ディスク）に情報を記録する場合、光ヘッドから出射されるレーザ光の集光点の移動をＤＶＤプレーヤユニットで光ディスクしなくてはならない。すなわち、光ヘッドの摺動を精度良く行う必要があり、そのため、前記駆動機構に含まれる駆動モータはその出力軸にピニオンギヤを取り付け、前記出力軸が前記ＤＶＤレコーダユニットの底部に対して直行するように配置されている。
【０００５】
一方、前記ＤＶＤレコーダユニットで光ディスク（ＤＶＤ−ＲＯＭを含む）を再生する場合、光ヘッドの摺動は前記ＤＶＤレコーダユニットで光ディスクの記録を行う場合ほど高精度である必要がなく、駆動モータの出力軸にウォームギアを取り付け、前記出力軸を前記ＤＶＤプレーヤユニットに備えられたトラバースシャーシに傾けて取り付けられており、ＤＶＤレコーダユニットに比べて高さを抑えて形成することができる。
【０００６】
また、前記ＤＶＤレコーダユニットは、ＤＶＤ−ＲＡＭのようにケースに格納されている光ディスクが利用される場合もあり、ディスクトレイにケースごと配置できるように、前記ディスクトレイの大きさや、前記ディスクトレイが配置されている高さ（ＤＶＤレコーダユニットの下面或いは上面よりの距離）が、ＤＶＤプレーヤユニットとは異なっていることが多い。
【０００７】
前記ＤＶＤレコーダユニットを内蔵する光ディスク装置（ＨＤＤ付きＤＶＤレコーダ）と前記ＤＶＤプレーヤユニットを内蔵する光ディスク装置（ＨＤＤ付きＤＶＤプレーヤ）とは、シャーシ、上面カバー、前面パネル、背面パネル等の筐体を構成する部材がそれぞれ専用に製造されており、設計、試作等の開発にかかる手間、時間が多くなるとともに、金型をそれぞれ用意しなくてはならず、製造にかかる手間、時間も多くなり、コストが高くなる。
【０００８】
そこで、前記ＤＶＤレコーダユニットを内蔵する光ディスク装置（ＨＤＤ付きＤＶＤレコーダ）と前記ＤＶＤプレーヤユニットを内蔵する光ディスク装置（ＨＤＤ付きＤＶＤプレーヤ）との間で基板やケーブル等の部品の共通化が図られている。しかし、前記ＤＶＤプレーヤユニットと前記ＤＶＤレコーダユニットでは厚み、前記ディスクトレイの配置高さ等の形状が異なっており、筐体を共通化するのは困難である。
【０００９】
そこで、例えば、特開平８−２５５４７３号公報では、厚さの厚いディスクドライブ装置を取り付ける筐体に薄型のディスクドライブ装置を取り付ける方法が示されている。すなわち、薄型のディスクドライブ装置を取り付けるアダプタ（特開平８−２５５４７３号公報ではエスカッション）を取り付け、厚さ、高さ等を調節して取り付けることで、厚型のディスクドライブ装置を取り付けることができる筐体に薄型のディスクドライブ装置の取り付けを行っている。
【００１０】
また、実用新案登録第２５９９４２０号公報、実公平７−５５７５７号公報等にも、同様の方法で、予め決められている大きさのディスクドライブよりも小さな外形を有するディスクドライブを取り付けるものが示されている。
【００１１】
【特許文献１】特開平８−２５５４７３号公報
【特許文献２】実用新案登録第２５９９４２０号公報
【特許文献３】実公平７−５５７５７号公報
【発明の開示】
【発明が解決しようとする課題】
【００１２】
しかしながら、ＤＶＤプレーヤユニットにアダプタを取り付けて、ＤＶＤレコーダユニットを配置するために設計された筐体（シャーシ、上面カバー、背面パネル）の共用化をはかる場合、アダプタを別途設計、製造しなくてはならず手間と時間がかかる。また、ＤＶＤプレーヤユニットにアダプタを取り付けるための手間と時間も余計に必要になり、コストアップに繋がる。
【００１３】
そこで本発明は、上記問題点を鑑みてなされたものであり、外形の大きな光ディスクドライブユニットを取り付けるように設計された筐体に外形の小さな光ディスクドライブユニットを取り付けることを目的とする。
【００１４】
また本発明は、上記問題点を鑑みてなされたものであり、異なる形状の光ディスクドライブユニットを共通の筐体に取り付けることができ、それだけ、開発にかかる手間、時間を省略することを目的とする。
【００１５】
さらに本発明は、上記問題点を鑑みてなされたものであり、異なる光ディスクドライブユニットを備えた光ディスク装置を製造するときに、需要が少ない光ディスク装置の製造数と、需要の多い光ディスク装置の製造数の比率を容易に変更でき、無駄を省くことを目的とする。
【課題を解決するための手段】
【００１６】
上記目的を達成するために本発明は、ＤＶＤメディアの再生又は記録を行うＤＶＤレコーダユニットと、前記ＤＶＤレコーダユニットの下面に形成されたボスが挿通されるボス孔が形成され前記ＤＶＤレコーダユニットが固定されるシャーシと、前記シャーシの上部を覆う上面カバーと、前記シャーシの背面に立設配置される背面パネルと、前記光ディスクが挿入又は排出される開口部と、背面上部に一体突設され前記ＤＶＤレコーダユニットの上面に形成された凸部と係合するための係合リブと、前記背面及び前記係合リブと一体に形成され該係合リブの上面に直交し、前記上面カバーを支持する支持リブとを備え、前記シャーシの前面に着脱可能に取り付けられるレコーダ用前面パネルとを有する光ディスク装置の製造方法において、前記ＤＶＤレコーダユニットにかえて前記ＤＶＤレコーダユニットよりも薄く形成され、前記ＤＶＤメディアの再生のみを行うＤＶＤプレーヤユニットを取り付けるときに、中央に上面から下面に貫通する貫通孔と、上面に前記ＤＶＤプレーヤユニットの下面に形成されているボスと係合するボス孔と、前記シャーシに形成されているボス孔と係合するボスとを有するスペーサを、前記ＤＶＤプレーヤユニットの下面に取り付け、前記スペーサを取り付けたＤＶＤプレーヤユニットを前記シャーシに固定し、前記レコーダ用前面パネルの前記係合リブよりも下方に形成された係合リブと、上端部が前記レコーダ用前面パネルの前記支持リブの上端部と同じ高さになるように形成された支持リブとを有するプレーヤ用前面パネルを前記レコーダ用前面パネルにかえて取り付けることを特徴とする。
【００１７】
上記目的を達成するために本発明は、光ディスクの再生又は記録を行う第１光ディスクユニットと、前記第１光ディスクユニットが固定されるシャーシと、前記シャーシの上部を覆う上面カバーと、前記シャーシの背面に立設配置される背面パネルと、前記光ディスクが挿入又は排出される開口部と、背面上部に一体突設され前記第１光ディスクユニットの上面に形成された凸部と係合するための係合リブと、前記背面及び前記係合リブと一体に形成され該係合リブの上面に直交し、前記上面カバーを支持する支持リブとを備え、前記シャーシの前面に着脱可能に取り付けられる第１前面パネルとを有する光ディスク装置の製造方法において、前記第１光ディスクユニットにかえて該第１光ディスクユニットよりも薄く形成された第２光ディスクユニットを取り付けるときに、前記第２光ディスクユニットの下面にスペーサを取り付け、スペーサを取り付けた前記第２光ディスクユニットを前記シャーシに固定し、前記第１前面パネルにかえて前記第２光ディスクユニットの上面に形成された凸部と係合する係合リブ及び前記上面カバーを支持する支持リブとを備えた第２前面パネルを取り付けることを特徴とする。
【００１８】
上記構成において、前記スペーサは中央に上面から下面に貫通する貫通孔と、前記上面に前記第２光ディスクユニットに形成されるボスと係合するボス孔と、前記下面に前記シャーシに形成されているボス孔と係合するボスとが形成されているものとしても良い。
【００１９】
上記構成において、前記第２前面パネルの係合リブは前記第１前面パネルの係合リブよりも下方に配置されており、前記第２前面パネルの支持リブの上端部は前記第１前面パネルの支持リブの上端部と同じ高さになるように形成されているものとしてもよい。
【発明の効果】
【００２０】
本発明によると、外形の大きな光ディスクドライブユニットを取り付けるように設計された筐体に外形の小さな光ディスクドライブユニットを取り付けることができる。
【００２１】
また本発明は、異なる形状の光ディスクドライブユニットを共通の筐体に取り付けることができ、それだけ、開発にかかる手間、時間を省略することができる。
【００２２】
さらに本発明は、各部材を製造するための金型の製作にかかる時間、手間、材料を減らすことができ、それだけ、コストアップを抑えることができるとともに、資源の無駄遣いを抑制することができる。
【００２３】
さらに本発明は、異なる光ディスクドライブユニットを備えた光ディスク装置を製造するときに、需要が少ない光ディスク装置の製造数と、需要の多い光ディスク装置の製造数の比率を容易に変更でき、無駄を省くことができる。
【発明を実施するための最良の形態】
【００２４】
以下に本発明の実施形態を図面を参照して説明する。図１に本発明にかかる光ディスク装置の製造方法利用して製造した光ディスク装置の分解斜視図を、図２に図１に示す光ディスク装置の前面部を拡大した側断面図を示す。図１、図２に示す光ディスク装置Ａは、シャーシ１と、シャーシ１の背面に垂直に立設される背面パネル２と、シャーシ１の上面を覆う上面カバー３と、シャーシ１に取り付けられる基板Ｂｐと、シャーシ１に基板Ｂｐと重ならないように取り付けられるＤＶＤレコーダユニット４と、シャーシ１の前面に取り付けられ、ＤＶＤレコーダユニット４と係合するレコーダ用前面パネル５と、基板Ｂｐ上に取り付けられるＨＤＤ６とを有している。
【００２５】
図２に示すように、シャーシ１はボス孔１１を有している。また上面カバー３は天板３１と、天板３１より下方に伸びる側壁部３２とを有している。
【００２６】
ＤＶＤレコーダユニット４は、光ディスクを載置し、ローディング又はアンローディングするためのディスクトレイ４１と、下面に形成され、シャーシ１のボス孔１１に挿通されるボス４２と、上面に形成される取り付けリブ４３とを有している。ＤＶＤレコーダユニット４の高さはＬ１であり、ディスクトレイ４１はＤＶＤレコーダユニット４の下面より高さＭ１（シャーシ１の底面からの高さＮ１）の位置に形成されている。
【００２７】
また、レコーダ用前面パネル５はＤＶＤレコーダユニット４に取り付けられている摺動可能なディスクトレイ４１が通過するための開口部５１と、背面の上部に、ＤＶＤレコーダユニット４の上面に形成されている取り付けリブ４３と係合する係合リブ５２と、背面及び係合リブ５２と一体に形成され、前記上面カバー３の天板３１の下部に接触するように配置されるとともに上面カバー３の天板３１を支持するための支持リブ５３とを有している。
【００２８】
係合リブ５２は取り付けリブ４３が挿通し抜け止めされる貫通孔５２１を有している。また、図示を省略しているが、前面パネル５には、開口部５１を開閉するためのトレイドアが備えられている。トレイドアはディスクトレイ４１が排出されるときに、背面を押されることで開くものである。
【００２９】
光ディスク装置Ａは、ＤＶＤレコーダユニット４、シャーシ１に基板Ｂｐ、ＨＤＤ６を取り付けた状態で、上面カバー３をシャーシ１の上面より配置し、シャーシ１に上面カバー３の側壁部３２をボルトＢｔにて固定する。その後、前面パネル５を取り付ける。前面パネル５は、係合リブ５２の貫通孔５２１とＤＶＤレコーダユニット４の取り付けリブ４３とが係合するようにシャーシ１の前面側から係合させる。このとき、係合リブ５２の上面（ＤＶＤレコーダユニット４と反対側の面）に立設された支持リブ５３が、上面カバー３の天板３１の下面と当接して、上面カバー３の天板３１を支持している。
【００３０】
つぎに、ＤＶＤレコーダユニット４にかえて、ＤＶＤプレーヤユニット７を取り付ける場合を説明する。図３にＤＶＤプレーヤユニットを取り付けるときの光ディスク装置の分解斜視図を、図４に図３に示す光ディスク装置の前面部を拡大した側断面図を示す。図３、図４に示す光ディスク装置Ｂは、図１に示す光ディスク装置ＡのＤＶＤレコーダユニット４にかえてＤＶＤプレーヤユニット７を配置したものであり、ＤＶＤプレーヤユニット７とスペーサ８及びプレーヤ用前面パネル９が異なる以外は光ディスク装置Ａと同じ構成であり、実質上同じ部分には同一の符号が付してある。
【００３１】
図４に示すように、ＤＶＤプレーヤユニット７の高さはＬ２であり、ディスクトレイ７１は下面からＭ２の高さの位置に形成されている。ＤＶＤプレーヤユニット７の高さＬ２はＤＶＤレコーダユニット４の高さＬ１よりも低い。すなわち、ＤＶＤレコーダユニット４の取り付けリブ４３の底面からの高さに比べて、ＤＶＤプレーヤユニット７の取り付けリブ７３の底面からの高さは低い位置に形成されている。また、ＤＶＤプレーヤユニット７のディスクトレイ７１の下面からの高さＭ２はＤＶＤレコーダユニット４のディスクトレイ４１下面からの高さＭ１よりも低い。
【００３２】
ＤＶＤプレーヤユニット７の下面からディスクトレイ７１までの高さＭ２がＤＶＤレコーダユニット４の下面からディスクトレイ４１までの高さＭ１よりも低いので、ＤＶＤプレーヤユニット７とシャーシ１との間にスペーサ８が取り付けられている。スペーサ８を取り付けることで、シャーシ１の底面からＤＶＤプレーヤユニット７のディスクトレイ７１までの高さＮ２を、ＤＶＤレコーダユニット４のディスクトレイ４１のシャーシ１の底面からディスクトレイ４１までの高さＮ１と同じ高さにすることができる。
【００３３】
図２及び図４に示すようにＤＶＤレコーダユニット４のボス４２とＤＶＤプレーヤユニット７のボス７２はその位置が異なっている。そこで、スペーサ８は下面にシャーシ１に形成されたボス孔１１と対応する位置にボス８１が、上面にＤＶＤプレーヤユニット７のボス７２と対応する位置にボス孔８２が形成されている。
【００３４】
スペーサ８にボス８１及びボス孔８２を形成することで、スペーサ８をＤＶＤプレーヤユニット７の下面にボス７２をボス孔８２に挿入した状態で取り付けることができる。また、スペーサ８を取り付けたＤＶＤプレーヤユニット７をスペーサ８のボス８１をシャーシ１のボス孔１１に挿入することで、ＤＶＤプレーヤユニット７をシャーシ１に固定することが可能である。
【００３５】
スペーサ８は平面視矩形状を有しており、中央部に上面から下面に貫通する矩形状の貫通孔８３を有する矩形状の枠体である。このように貫通孔８３が形成されていることで、前記ＤＶＤプレーヤユニット７の図示を省略したトラバースシャーシが昇降するときに、スペーサ８と接触する事故が発生するのを低減することができる。
【００３６】
光ディスク装置Ｂではプレーヤ用前面パネル９が取り付けられている。プレーヤ用前面パネル９は係合リブ９２がレコーダ用前面パネル５の係合リブ５２に比べて下方に形成されている。係合リブ９２が下方に取り付けられているとともに、係合リブ９２の上面に立設される支持リブ９３の上端部はレコーダ用前面パネルの支持リブ５３の上端部と同じ位置になるように形成されている。
【００３７】
ＤＶＤプレーヤユニット７のディスクトレイ７２のシャーシからの高さをＤＶＤレコーダユニット４のディスクトレイ４２あわせたときに、取り付けリブ７２の高さがＤＶＤレコーダユニット４の取り付けリブ４３よりも低い位置に配置されているが、係合リブ９２を係合リブ５２よりも低い位置に配置したプレーヤ用前面パネル９を用いることで、係合リブ９２と取り付けリブ７２とを係合することが可能である。また、支持リブ９２の上端部の高さがレコーダ用前面パネル５の支持リブ５３と同じ高さになるように形成されているので、係合リブ９２の変形を抑制することができるとともに、上面カバー３の天板３１を支持リブ９３で支持することが可能である。
【００３８】
図５に本発明にかかる光ディスク装置の製造方法の一例のフローチャートを示す。まず、図１に示す光ディスク装置Ａを製造するかどうか選択する（ステップＳ１）。光ディスク装置Ａを製造する場合（ステップＳ１でＹＥＳの場合）、シャーシ１にＤＶＤレコーダユニット４を取り付け固定する（ステップＳ２）。そして、シャーシ１上に基板Ｂｐを取り付け、基板Ｂｐ上にＨＤＤ６を配置する（ステップＳ３）。上面カバー３をシャーシ１に取り付けボルトＢｔを用いて上面カバー３をシャーシ１に固定する（ステップＳ４）。前面よりレコーダ用前面パネル５を取り付ける（ステップ５）。
【００３９】
また、図３に示す光ディスク装置Ｂを製造する場合（ステップＳ１でＮＯの場合）、ＤＶＤプレーヤユニット７の下面にスペーサ８を取り付ける（ステップＳ６）。下面にスペーサ８を取り付けたＤＶＤプレーヤユニット７をシャーシ１に取り付け固定する（ステップＳ７）。そして、シャーシ１上に基板Ｂｐを取り付け、基板Ｂｐ上にＨＤＤ６を配置する（ステップＳ８）。上面カバー３をシャーシ１に取り付けボルトＢｔを用いて上面カバー３をシャーシ１に固定する（ステップＳ９）。前面よりプレーヤ用前面パネル９を取り付ける（ステップ１０）。
【００４０】
以上に示したように、シャーシ１、背面パネル２、上面カバー３、ＨＤＤ６、基板ＢｐにＤＶＤレコーダユニット４及びレコーダ用前面パネル５を取り付けることで、ＨＤＤ付きＤＶＤレコーダ（光ディスク装置Ａ）を製造することができ、ＤＶＤレコーダユニット４にかえて下面にスペーサ８を取り付けたＤＶＤプレーヤユニット７、レコーダ用前面パネル５にかえてプレーヤ用前面パネル９を取り付けることでＨＤＤ付きＤＶＤプレーヤ（光ディスク装置Ｂ）を製造することが可能である。
【００４１】
すなわち、ＤＶＤレコーダユニット４を備えた光ディスク装置ＡとＤＶＤプレーヤユニット７を備えた光ディスク装置Ｂを共通のシャーシ１、背面パネル２及び上面カバー３を共通化することが可能である。
【００４２】
筐体（シャーシ１、背面パネル２、上面カバー３）を共通化することで、ＤＶＤレコーダユニット４及びＤＶＤプレーヤユニット７のそれぞれに対応した筐体（シャーシ、上面カバー、背面パネル）を設計、製造する場合或いは筐体を共通化するためにＤＶＤレコーダユニット４又はＤＶＤプレーヤユニット７の形状を変更する場合に比べて、開発にかかる時間と手間を削減することができ、それだけ、製造コストを低減することが可能である。
【００４３】
また、各部材を製造するための金型の製作にかかる時間、手間、材料を減らすことができ、それだけ、コストアップを抑えることができるとともに、資源の無駄遣いを抑制することができる。
【００４４】
さらには、ＤＶＤレコーダユニット４を備える光ディスク装置ＡとＤＶＤプレーヤユニット７を備える光ディスク装置Ｂとの需要が偏っていて、一方の製品が供給不足になっても、筐体を共通化しているので、製造ラインを需要の多いほうに迅速に切り替えることができ、供給量を安定させることができるとともに、余剰在庫の発生を低減することが可能である。
【００４５】
図５に示す製造方法ではシャーシ１にＤＶＤレコーダユニット４を固定した（ステップＳ２）後に、基板Ｂｐ、ＨＤＤ６を取り付ける（ステップＳ３）ものや、シャーシ１にＤＶＤプレーヤユニット７を固定した（ステップＳ７）後に基板Ｂｐ、ＨＤＤ６を取り付ける（ステップＳ８）ものを例に説明しているが、適切に取り付けることができるものの場合、前後しても構わない。
【００４６】
上述の実施例では光ディスク装置としてＨＤＤ付きＤＶＤレコーダとＨＤＤ付きＤＶＤプレーヤのシャーシ、上面カバー、背面プレートを共通化するものを例に説明しているが、それに限定されるものではなく、ＤＶＤレコーダユニット、ＤＶＤプレーヤユニット、ＢＤ（Ｂｌｕ−ｒａｙ  Ｄｉｓｃ）ユニット等、異なる光ディスクユニットを共通の筐体に内蔵するものを広く採用することができる。
【００４７】
以上、発明の実施形態を具体的に説明したが、本発明は上記実施形態に限定するものではなく、その要旨を逸脱しない範囲で種々変更可能である。
【産業上の利用可能性】
【００４８】
本発明の光ヘッドは、ＤＶＤ、ＣＤ、ＢＤ等の光ディスクにレーザ光を照射して情報を読み出したり、書込み可能な光ディスクに情報を記録したりする光ディスク装置において適用することができる。
【図面の簡単な説明】
【００４９】
【図１】本発明にかかる光ディスク装置の製造方法利用して製造した光ディスク装置の一例であるＨＤＤ付きＤＶＤレコーダの分解斜視図である。
【図２】図１に示す光ディスク装置の前面部を拡大した側断面図である。
【図３】本発明にかかる光ディスク装置の製造方法利用して製造した光ディスク装置の一例であるＨＤＤ付きＤＶＤプレーヤの分解斜視図である。
【図４】図３に示す光ディスク装置の前面部を拡大した側断面図である。
【図５】本発明にかかる光ディスク装置の製造方法の一例を示すフローチャートである。
【符号の説明】
【００５０】
Ａ  ＨＤＤ付きＤＶＤレコーダ
Ｂ  ＨＤＤ付きＤＶＤプレーヤ
１  シャーシ
１１  ボス孔
２  背面パネル
３  上面カバー
３１  天板
４  ＤＶＤレコーダユニット
４１  ディスクトレイ
４２  ボス
４３  取り付けリブ
５  レコーダ用前面パネル
５１  開口部
５２  係合リブ
５３  支持リブ
６  ＨＤＤ
７  ＤＶＤレコーダユニット
７１  ディスクトレイ
７２  ボス
７３  取り付けリブ
８  スペーサ
８１  ボス
８２  ボス孔
８３  貫通孔
９  プレーヤ用前面パネル
９１  開口部
９２  係合リブ
９３  支持リブ
【図１】
2007299443.tif 000003
【図２】
2007299443.tif 000004
【図３】
2007299443.tif 000005
【図４】
2007299443.tif 000006
【図５】
2007299443.tif 000007